【手続補正書】
【提出日】平成18年11月16日(2006.11.16)
【手続補正１】
【補正対象書類名】明細書
【補正対象項目名】００１１
【補正方法】変更
【補正の内容】
【００１１】
＜４＞本発明の皮膚のレプリカ作成用の組成物
本発明の皮膚のレプリカ作成用の組成物は、前記の必須成分である、１）部分的にアセチル化されても良いポリビニルアルコールと、２）ポリビニルピロリドンと、３）ポリ酢酸ビニルとを含有することを特徴とする。これらの成分の総和は、組成物全量に対して、８〜２０質量％であることが好ましく、１０〜１５質量％であることが更に好ましい。本発明の組成物に於いては、かかる成分以外に通常化粧料などで使用される任意の成分を含有することが出来る。この様な任意成分としては、例えば、マカデミアナッツ油、アボガド油、トウモロコシ油、オリーブ油、ナタネ油、ゴマ油、ヒマシ油、サフラワー油、綿実油、ホホバ油、ヤシ油、パーム油、液状ラノリン、硬化ヤシ油、硬化油、モクロウ、硬化ヒマシ油、ミツロウ、キャンデリラロウ、カルナウバロウ、イボタロウ、ラノリン、還元ラノリン、硬質ラノリン、ホホバロウ等のオイル、ワックス類、流動パラフィン、スクワラン、プリスタン、オゾケライト、パラフィン、セレシン、ワセリン、マイクロクリスタリンワックス等の炭化水素類、オレイン酸、イソステアリン酸、ラウリン酸、ミリスチン酸、パルミチン酸、ステアリン酸、ベヘン酸、ウンデシレン酸等の高級脂肪酸類、セチルアルコール、ステアリルアルコール、イソステアリルアルコール、ベヘニルアルコール、オクチルドデカノール、ミリスチルアルコール、セトステアリルアルコール等の高級アルコール等、イソオクタン酸セチル、ミリスチン酸イソプロピル、イソステアリン酸ヘキシルデシル、アジピン酸ジイソプロピル、セバチン酸ジ−２−エチルヘキシル、乳酸セチル、リンゴ酸ジイソステアリル、ジ−２−エチルヘキサン酸エチレングリコール、ジカプリン酸ネオペンチルグリコール、ジ−２−ヘプチルウンデカン酸グリセリン、トリ−２−エチルヘキサン酸グリセリン、トリ−２−エチルヘキサン酸トリメチロールプロパン、トリイソステアリン酸トリメチロールプロパン、テトラ−２−エチルヘキサン酸ペンタンエリトリット等の合成エステル油類、ジメチルポリシロキサン、メチルフェニルポリシロキサン、ジフェニルポリシロキサン等の鎖状ポリシロキサン、オクタメチルシクロテトラシロキサン、デカメチルシクロペンタシロキサン、ドデカメチルシクロヘキサンシロキサン等の環状ポリシロキサン、アミノ変性ポリシロキサン、ポリエーテル変性ポリシロキサン、アルキル変性ポリシロキサン、フッ素変性ポリシロキサン等の変性ポリシロキサン等のシリコーン油等の油剤類、脂肪酸セッケン（ラウリン酸ナトリウム、パルミチン酸ナトリウム等）、ラウリル硫酸カリウム、アルキル硫酸トリエタノールアミンエーテル等のアニオン界面活性剤類、塩化ステアリルトリメチルアンモニウム、塩化ベンザルコニウム、ラウリルアミンオキサイド等のカチオン界面活性剤類、イミダゾリン系両性界面活性剤（２−ココイル−２−イミダゾリニウムヒドロキサイド−１−カルボキシエチロキシ２ナトリウ
ム塩等）、ベタイン系界面活性剤（アルキルベタイン、アミドベタイン、スルホベタイン等）、アシルメチルタウリン等の両性界面活性剤類、ソルビタン脂肪酸エステル類（ソルビタンモノステアレート、セスキオレイン酸ソルビタン等）、グリセリン脂肪酸類（モノステアリン酸グリセリン等）、プロピレングリコール脂肪酸エステル類（モノステアリン酸プロピレングリコール等）、硬化ヒマシ油誘導体、グリセリンアルキルエーテル、ＰＯＥソルビタン脂肪酸エステル類（ＰＯＥソルビタンモノオレエート、モノステアリン酸ポリオキシエチレンソルビタン等）、ＰＯＥソルビット脂肪酸エステル類（ＰＯＥ−ソルビットモノラウレート等）、ＰＯＥグリセリン脂肪酸エステル類（ＰＯＥ−グリセリンモノイソステアレート等）、ＰＯＥ脂肪酸エステル類（ポリエチレングリコールモノオレート、ＰＯＥジステアレート等）、ＰＯＥアルキルエーテル類（ＰＯＥ２−オクチルドデシルエーテル等）、ＰＯＥアルキルフェニルエーテル類（ＰＯＥノニルフェニルエーテル等）、プルロニック型類、ＰＯＥ・ＰＯＰアルキルエーテル類（ＰＯＥ・ＰＯＰ２−デシルテトラデシルエーテル等）、テトロニック類、ＰＯＥヒマシ油・硬化ヒマシ油誘導体（ＰＯＥヒマシ油、ＰＯＥ硬化ヒマシ油等）、ショ糖脂肪酸エステル、アルキルグルコシド等の非イオン界面活性剤類、ポリエチレングリコール、グリセリン、１，３−ブチレングリコール、エリスリトール、ソルビトール、キシリトール、マルチトール、プロピレングリコール、ジプロピレングリコール、ジグリセリン、イソプレングリコール、１，２−ペンタンジオール、１，２−ヘキシレングリコール、１，２−オクタンジオール等の多価アルコール類、ピロリドンカルボン酸ナトリウム、乳酸、乳酸ナトリウム等の保湿成分類、グアガム、クインスシード、カラギーナン、ガラクタン、アラビアガム、ペクチン、マンナン、デンプン、キサンタンガム、カードラン、メチルセルロース、ヒドロキシエチルセルロース、カルボキシメチルセルロース、メチルヒドロキシプロピルセルロース、コンドロイチン硫酸、デルマタン硫酸、グリコーゲン、ヘパラン硫酸、ヒアルロン酸、ヒアルロン酸ナトリウム、トラガントガム、ケラタン硫酸、コンドロイチン、ムコイチン硫酸、ヒドロキシエチルグアガム、カルボキシメチルグアガム、デキストラン、ケラト硫酸，ローカストビーンガム，サクシノグルカン，カロニン酸，キチン，キトサン、カルボキシメチルキチン、寒天、カルボキシビニルポリマー、ポリアクリル酸ナトリウム、ポリエチレングリコール、ベントナイト等の増粘剤、表面を処理されていても良い、マイカ、タルク、カオリン、合成雲母、炭酸カルシウム、炭酸マグネシウム、無水ケイ酸（シリカ）、酸化アルミニウム、硫酸バリウム等の粉体類、表面を処理されていても良い、ベンガラ、黄酸化鉄、黒酸化鉄、酸化コバルト、群青、紺青、酸化チタン、酸化亜鉛の無機顔料類、表面を処理されていても良い、雲母チタン、魚燐箔、オキシ塩化ビスマス等のパール剤類、レーキ化されていても良い赤色２０２号、赤色２２８号、赤色２２６号、黄色４号、青色４０４号、黄色５号、赤色５０５号、赤色２３０号、赤色２２３号、橙色２０１号、赤色２１３号、黄色２０４号、黄色２０３号、青色１号、緑色２０１号、紫色２０１号、赤色２０４号等の有機色素類、ポリエチレン末、ポリメタクリル酸メチル、ナイロン粉末、オルガノポリシロキサンエラストマー等の有機粉体類、パラアミノ安息香酸系紫外線吸収剤、アントラニル酸系紫外線吸収剤、サリチル酸系紫外線吸収剤、桂皮酸系紫外線吸収剤、ベンゾフェノン系紫外線吸収剤、糖系紫外線吸収剤、２−（２'−ヒドロキシ−５'−ｔ−オクチルフェニル)ベンゾトリアゾール、４−メトキシ−４'−ｔ−ブチルジベンゾイルメタン等の紫外線吸収剤類、エタノール、イソプロパノール等の低級アルコール類、ビタミンＡ又はその誘導体、ビタミンＢ6塩酸塩，ビタミンＢ6トリパルミテート，ビタミンＢ6ジオクタノエート，ビタミンＢ2又はその誘導体，ビタミンＢ12，ビタミンＢ15又はその誘導体等のビタミンＢ類、α−トコフェロール，β−トコフェロール，γ−トコフェロール，ビタミンＥアセテート等のビタミンＥ類、ビタミンＤ類、ビタミンＨ、パントテン酸、パンテチン、ピロロキノリンキノン等のビタミン類などが好ましく例示できる。これらの内、特に好ましいものとしては、表面を処理されていても良い、マイカ、タルク、カオリン、合成雲母、炭酸カルシウム、炭酸マグネシウム、無水ケイ酸（シリカ）、酸化アルミニウム、硫酸バリウム等の粉体類、表面を処理されていても良い、ベンガラ、黄酸化鉄、黒酸化鉄、酸化コバルト、群青、紺青、酸化チタン、酸化亜鉛の無機顔料類等の粉体類が好ま
しく例示でき、該粉体類の好ましい含有量としては、２０〜３０質量％含有することが例示できる。これらの粉体は、被膜の強度を高め、皮膚表面の立体形状を忠実に写し取り、維持する作用を有する。又、エタノールを含有することも、防腐力を向上させる意味と、乾燥ムラを抑制する意味で好ましい。エタノールの好ましい含有量は、組成物全量に対して、１〜５質量％である。加えて、形成する被膜の、剥離時の崩壊を防ぐ目的で、ポリオキシエチレンポリオキシプロピレンブロックコポリマーや、ポリオキシエチレン脂肪酸グリセリルを０．１〜２質量％含有させることも好ましい。更に、親油性の高い可塑剤として二塩基酸のジエステルを１〜３質量％含有することも好ましい。かかる二塩基酸のジエステルとしては、アジピン酸ジエトキシエチル、コハク酸ジエトキシエチルなどが好ましく例示できる。本発明の組成物は、この様な必須成分と任意成分とを常法に従って処理することにより、製造することが出来る。
【手続補正２】
【補正対象書類名】明細書
【補正対象項目名】００１２
【補正方法】変更
【補正の内容】
【００１２】
以下に、実施例を挙げて、本発明について更に詳細に説明を加えるが、本発明がかかる実施例にのみ、限定を受けないことは言うまでもない。
【手続補正３】
【補正対象書類名】明細書
【補正対象項目名】００１４
【補正方法】変更
【補正の内容】
【００１４】
＜比較例１＞
以下に示す処方に従って、比較例の皮膚のレプリカ作成用の比較組成物１を作成した。即ち、処方成分を、８０℃で良く混練り、混合し、攪拌冷却して、減圧下脱泡して、比較例の皮膚のレプリカ作成用の比較組成物１を得た。
「ゴーセノールＥＧ３０」                        １２    質量部
１，３−ブタンジオール                            ２    質量部
エタノール                                        ５    質量部
コハク酸ジエトキシエチル                          ２    質量部
流動パラフィン                                    ６    質量部
フェノキシエタノール                              ０．５質量部
「ビニブランＧＶ−５６５１」                      １    質量部
カオリン                                        ２０    質量部
二酸化チタン                                      ５    質量部
ポリオキシエチレン（２０）セスキステアレート      ０．５質量部
ＰＯＥ・ＰＯＰブロックコポリマー                  １    質量部
ソルビタンセスキラウレート                        ０．５質量部
ステアリン酸                                      ０．１質量部
水                                              ４４．４質量部
【手続補正４】
【補正対象書類名】明細書
【補正対象項目名】００１５
【補正方法】変更
【補正の内容】
【００１５】
＜比較例２＞
以下に示す処方に従って、比較例の皮膚のレプリカ作成用の比較組成物２を作成した。即ち、処方成分を、８０℃で良く混練り、混合し、攪拌冷却して、減圧下脱泡して、比較例の皮膚のレプリカ作成用の比較組成物２を得た。
１，３−ブタンジオール                            ２    質量部
エタノール                                        ５    質量部
コハク酸ジエトキシエチル                          ２    質量部
流動パラフィン                                    ６    質量部
フェノキシエタノール                              ０．５質量部
「ルビスコールＫ９０」                          １２    質量部
「ビニブランＧＶ−５６５１」                      １    質量部
カオリン                                        ２０    質量部
二酸化チタン                                      ５    質量部
ポリオキシエチレン（２０）セスキステアレート      ０．５質量部
ＰＯＥ・ＰＯＰブロックコポリマー                  １    質量部
ソルビタンセスキラウレート                        ０．５質量部
ステアリン酸                                      ０．１質量部
水                                              ４４．４質量部
【手続補正５】
【補正対象書類名】明細書
【補正対象項目名】００１６
【補正方法】変更
【補正の内容】
【００１６】
＜比較例３＞
以下に示す処方に従って、比較例の皮膚のレプリカ作成用の比較組成物３を作成した。即ち、処方成分を、８０℃で良く混練り、混合し、攪拌冷却して、減圧下脱泡して、比較例の皮膚のレプリカ作成用の比較組成物３を得た。
「ゴーセノールＥＧ３０」                            ６    質量部
１，３−ブタンジオール                              ２    質量部
エタノール                                          ５    質量部
コハク酸ジエトキシエチル                            ２    質量部
流動パラフィン                                      ６    質量部
フェノキシエタノール                                ０．５質量部
「ルビスコールＫ９０」                              ７    質量部
カオリン                                          ２０    質量部
二酸化チタン                                        ５    質量部
ポリオキシエチレン（２０）セスキステアレート        ０．５質量部
ＰＯＥ・ＰＯＰブロックコポリマー                    １    質量部
ソルビタンセスキラウレート                          ０．５質量部
ステアリン酸                                        ０．１質量部
水                                                ４４．４質量部